(57)【要約】本発明は、ＷＣＤＭＡ通信システムにおける専用のチャンネルのＤＣＨリソース割当ておよび速度制御方法を開示し、ａ）実時間ではないデータトラフィックのダウンリンクＤＣＨチャンネル状態を決定し、ｂ）ユーザ状態を決定するステップを含んでおり、前記ユーザは前記ダウンリンクＤＣＨを使用しており、現在の送信チャンネル測定により測定された無線測定結果にしたがって、優先順位と公平要求に基づいて、異なる状態におけるユーザに対して、ある速度を有するＤＣＨチャンネルに割当てるステップを含んでいる。本発明によれば、帯域幅リソース割当てと速度制御は効率的に実現され、無線リソースの利用は改善され、したがって可能な限り高いデータトラフィック帯域幅がユーザに提供される。【選択図】図７
2007524260.tif 000002
【特許請求の範囲】
【請求項１】
符号分割多元アクセス通信システムにおける実時間ではないデータサービスのための専用のチャンネルＤＣＨのリソース割当ておよび速度制御を行う方法において、
前記ＤＣＨはアップリンクＤＣＨとダウンリンクＤＣＨとを含み、アップリンクＤＣＨのリソースおよび速度の割当てはダウンリンクＤＣＨのリソースおよび速度の割当てに基づいて行われ、その方法は、
ａ）実時間ではないデータサービスのためのダウンリンクＤＣＨのチャンネル状態を決定し、前記ＤＣＨチャンネル状態は、ブロックされた状態、マクロダイバーシティ状態、利用可能な状態、アイドル状態および凍結状態を含んでおり、
ｂ）前記ダウンリンクＤＣＨを使用してユーザの状態を決定し、前記ユーザ状態は、占有しているユーザ、共通の新たに付加されたユーザ、ハンドオーバーで新たに付加されたユーザ、占有されたユーザ、メンテナンスユーザまたはマクロダイバーシティユーザを含んでおり、
ｃ）ステップａ）で決定されたチャンネル状態を、ステップｂ）で決定されたユーザ状態と相関させ、現在の送信チャンネルにより測定された無線測定結果にしたがって、および優先順位と公平要求に基づいて、異なるユーザ状態におけるユーザにおいて、ある速度を有するＤＣＨをダイナミックに割当てるステップを含んでいる方法。
【請求項２】
前記ステップａ）のそれぞれのＤＣＨチャンネル状態は以下のように決定され、即ち
ブロック状態は、ダウンリンクＤＣＨ占有タイマがＤＣＨの割当てられた直後スタートされ、タイマがＴＤＬｋ，ｍｉｎよりも小さい時間を示すとき、ＤＣＨのトラフィック、フローまたはチャンネル利用比またはその他の無線測定がどのように変化してもそれに関係なく、ＤＣＨのチャンネルリソースは常にブロックされ、他のユーザにより占有されることができなくされ、ＤＣＨがＴｋ，ｍｉｎＤＬよりも長い時間占有されるが、最大の占有時間ＴＤＬｋ，ｍａｘ以内であり、ＤＣＨのトラフィック、フローまたはチャンネル利用比、およびその他の無線測定が下限ＭＤＬｌｏｗよりも高いならば、チャンネルリソースはブロックされ、ＴＤＬｋ，ｍｉｎはｋ番目のダウンリンクＤＣＨの最小の占有時間であり、ＴＤＬｋ，ｍａｘはｋ番目のダウンリンクＤＣＨの最大の占有時間であり、ここでＴＤＬｋ，ｍａｘ＞ＴＤＬｋ，ｍｉｎあり、ｋは高い値から低い値への順序で、異なる速度を有するＤＣＨを弁別し、
マクロダイバーシティ状態は、現在のセルのＤＣＨのユーザがソフトハンドオーバーまたはさらにソフトなハンドオーバーのマクロダイバーシティ状態に入るとき、ＤＣＨがマクロダイバーシティ状態に入り、そのダウンリンクのダウンリンクＤＣＨの占有時間はリセットされ、カウントが休止され、この状態ではＤＣＨは速度制御を行わず、
利用可能な状態は、ＤＣＨが最大の占有時間ＴＤＬｋ，ｍａｘを超える時間中占有されるとき、ＤＣＨのトラフィック、フローまたはチャンネル利用比またはその他の無線測定がどのように変化しても、ＤＣＨは常に利用可能な状態であり、即ち、他のユーザにより占有されることが可能であり、さらに、ＤＣＨがＴＤＬｋ，ｍｉｎを超える時間で占有されるが、最大の占有時間ＴＤＬｋ，ｍａｘ内であり、ＤＣＨのトラフィック、フローまたはチャンネル利用比、その他の無線測定が下限ＭＤＬｌｏｗよりも低いならば、このチャンネルのリソースも利用可能な状態であり、
アイドル状態は、アイドル状態のＤＣＨが、実時間ではないサービスにおける現在のＤＣＨチャンネルセット中のどのユーザによっても使用されないＤＣＨであり、アイドル状態のＤＣＨは、次の理由で発生され、即ち、実時間ではないサービスのためにＤＣＨチャンネルセットの調節のために、ＤＣＨが新たに付加される場合と、実時間ではないサービスユーザの会話が終了し、それにより占有されていたＤＣＨが解除される場合と、実時間ではないサービスユーザが他のセルへハンドオーバーを行い、それによって占有されていたＤＣＨを解除する場合であり、
凍結状態は、ダウンリンクＤＣＨリソース再割当てリクエストを受信した後、現在のダウンリンクＤＣＨリソースプール中の全てのチャンネルが凍結状態に設定され、もとからのブロック状態のＤＣＨに関しては、そのダウンリンクＤＣＨ占有タイマが休止され、ＤＣＨ帯域幅割当ておよび速度制御の全ての動作もまた停止されるが、ＤＣＨのトラフィック、フローまたはチャンネル利用比、その他の無線測定は依然として行われ、ダウンリンクＤＣＨリソース再割当てが完了された後、再割当ての前または後に変更のないチャンネルが直ちに凍結状態の前の状態に復元され、変更されたＤＣＨに関しては、新たに割当てられたダウンリンクＤＣＨがもとのダウンリンクＤＣＨの速度とは異なる速度を有する場合に、ＤＣＨのダウンリンク占有タイマがリセットされ、ＤＣＨはブロックされた状態に入り、そうでなければ、これらは凍結状態の前の状態に入り、ＤＣＨが凍結状態ではなくなった後に、ダウンリンクＤＣＨ占有タイマのカウントが直ちに再開されることを特徴とする請求項１記載の方法。
【請求項３】
それぞれのチャンネル状態間で、状態転送を規定するステップをさらに含んでおり、それにおいては、
実時間ではないサービスにおけるダウンリンクＤＣＨチャンネルセットの再割当てのために新たに付加されたＤＣＨはアイドル状態に入り、ブロックされた状態のＤＣＨは、そのユーザが会話を終了してチャンネルを解放してからアイドル状態に入り、利用可能な状態のＤＣＨは、そのユーザが会話を終了したか他のチャンネルへのハンドオーバーが行われて、占有されたチャンネルが解除されてからアイドル状態に入り、マクロダイバーシティ状態のＤＣＨは、そのユーザが他のセルへのハンドオーバーを行い占有されたチャンネルが解除されてからアイドル状態に入り、
アイドル及び利用可能な状態のＤＣＨは、占有されているかまたは新たに付加されたユーザに割当てられるためにブロックされた状態に入り、マクロダイバーシティ状態のＤＣＨは、そのユーザがマクロダイバーシティを止め、依然として現在のセルに留まっているときブロックされた状態に入り、
ブロックされた状態のＤＣＨは、チャンネルの占有時間がＴＤＬｋ，ｍｉｎを超え、ＤＣＨのトラフィック、フローまたはチャンネル利用比、またはその他の無線測定が下限ＭＤＬｌｏｗよりも低いか、またはチャンネル占有時間がオーバーランされ、即ちＴＤＬｋ，ｍａｘよりも大きいとき、利用可能な状態に入り、
アイドル状態、利用可能な状態、およびブロックされた状態のＤＣＨは、ソフトハンドオーバーまたはさらにソフトなハンドオーバーによりマクロダイバーシティ状態に入り、
アイドル状態、ブロックされた状態、利用可能な状態、およびマクロダイバーシティ状態のＤＣＨは、実時間ではないサービスのためのダウンリンクＤＣＨリソースの再割当てのために凍結状態に入り、および凍結状態を停止することを特徴とする請求項１または２記載の方法。
【請求項４】
前記ステップｂ）のそれぞれのユーザ状態は以下のように規定され、即ち、
占有しているユーザについては、
ダウンリンクＤＣＨがＴＤＬｋ，ｍｉｎを超えた時間中占有され、ダウンリンクＤＣＨのトラフィック、フローまたはチャンネル利用比、またはその他の無線測定が上限ＭＤＬｈｉｇｈを超えているならば、ダウンリンクＤＣＨのユーザは、占有しているユーザと呼ばれ、
共通の新たに付加されたユーザについては、
実時間ではないサービスユーザがシステムに対する最初のアクセスを得るか、他のチャンネルからＤＣＨへのハンドオーバーを行うユーザが、新たに付加されたユーザであり、共通の新たに付加されたユーザ自体は、もとのダウンリンクＤＣＨリソースをもたず、アイドル状態のＤＣＨだけが共通の新たに付加されたユーザに割当てられることを許容され、共通の新たに付加されたユーザのもとのアップリンク及びダウンリンクＤＣＨ速度はゼロとしてマークされ、
ハンドオーバーで新たに付加されたユーザについては、
ハンドオーバーで新たに付加されたユーザは、他のセルから現在のセルへのハードハンドオーバー、ソフトハンドオーバー、さらにソフトなハンドオーバーによって新たに付加されたユーザであり、ハンドオーバーで新たに付加されたユーザはそれ自体、ダウンリンクＤＣＨリソースをもたないが、アイドル及び利用可能な状態のダウンリンクＤＣＨはハンドオーバーで新たに付加されたユーザへ割当てられることを可能にされ、
占有されたユーザについては、
利用可能な状態のダウンリンクＤＣＨを有するユーザは、占有されたユーザと呼ばれ、占有されたユーザのダウンリンクＤＣＨが占有しているユーザにより占有されるとき、占有されたユーザは直ちに、占有しているユーザのもとのダウンリンクＤＣＨを占有し、即ち占有しているユーザと占有されたユーザはその間で直接的な速度切換えをするためにチャンネル交換モードを採択し、
メンテナンスユーザについては、
メンテナンスユーザは、そのダウンリンクＤＣＨがブロックされた状態であるユーザであり、メンテナンスユーザは他のユーザのダウンリンクＤＣＨチャンネルリソースを占有せず、また、メンテナンスユーザのダウンリンクＤＣＨリソースは他のユーザにも占有されることができず、
マクロダイバーシティユーザについては、
マクロダイバーシティユーザはそのダウンリンクＤＣＨがマクロダイバーシティ状態であるユーザであり、マクロダイバーシティユーザは他のユーザのダウンリンクＤＣＨリソースを占有せず、また、マクロダイバーシティユーザのダウンリンクＤＣＨリソースは他のユーザにより占有されることができないことを特徴とする請求項１記載の方法。
【請求項５】
ｉ）現在のセルのＤＣＨの実時間サービスおよび実時間ではないサービスのアクチブユーザとダウンリンクロード変化情報と、ii）パワーおよび直交可変拡散ファクターチャンネルコードの割当て、またはiii）共通のチャンネルと専用のチャンネルとの間のハンドオーバー、ユーザの初期アクセス及び解放、ハンドオーバーユーザのアクセス及び解放に関する情報とに基づいて、実時間ではないデータサービスのための現在のダウンリンクＤＣＨの利用可能なチャンネルセットを決定するステップをさらに含んでおり、前記ＤＣＨの利用可能なチャンネルセットのＤＣＨ数は実時間ではないサービスのための現在のアクチブユーザ数以上であることを特徴とする請求項１記載の方法。
【請求項６】
実時間ではないデータサービスのために現在のダウンリンクＤＣＨの利用可能なチャンネルセットを決定するステップはさらに、
ｉ）ダウンリンクＤＣＨチャンネルリソース再割当てリクエストメッセージに基づいて、実時間ではないデータサービスのための前記ダウンリンクＤＣＨの利用可能なチャンネルセット中のＤＣＨを凍結状態に設定し、
ii）前記リクエストメッセージに対する応答に基づいて、実時間ではないデータサービスのためのダウンリンクＤＣＨチャンネルセットを再割当てし、その再割当てはアイドル状態、利用可能な状態、ブロックされた状態のＤＣＨの速度を変更することができ、マクロダイバーシティ状態のＤＣＨは再割当てが可能であるが、その速度は変更されることができず、さらに、再割当てがもとの、利用可能な状態、ブロックされた状態、マクロダイバーシティ状態のＤＣＨを変更する場合には、これらのチャンネルのユーザはダウンリンクＤＣＨを再度割当てられ、
iii）前記ステップii）におけるダウンリンクＤＣＨの利用可能なチャンネルチャンネルセットを更新し、新しいダウンリンクＤＣＨを前記使用に割当てるステップを含んでおり、ここで、新たに割当てられたダウンリンクＤＣＨがもとのダウンリンクＤＣＨの速度とは異なる速度を有している場合には、ＤＣＨのダウンリンクＤＣＨ占有タイマはリセットされ、ＤＣＨはブロックされた状態に入り、そうでなければ、これらは凍結状態の前の状態に入ることを特徴とする請求項５記載の方法。
【請求項７】
実時間ではないデータサービスのための現在のダウンリンクＤＣＨの利用可能なチャンネルセットを決定するステップはさらに、
実時間ではないサービスユーザがシステムに対する最初のアクセスを獲得するか、またはハンドオーバーを他のセルから現在のセルに対して行うか、ハンドオーバーを他のチャンネルから前記ダウンリンクＤＣＨへ行うとき、新たに付加されたユーザのタイプおよび速度要求情報に基づいて、前記ダウンリンクＤＣＨ中の新たに付加されたユーザへＤＣＨを割当てるステップを含んでおり、
前記ユーザが会話を終了するとき、実時間ではないサービスユーザにより占有されていたＤＣＨを解除するステップは、ハンドオーバーを現在のセル外へ、またはＤＣＨから他のチャンネルへ行うことを特徴とする請求項５記載の方法。
【請求項８】
前記ステップｃ）はさらに、ダウンリンク損失レベルに基づいて、異なる優先順位を有するＤＣＨチャンネルリソース割当てキューを異なるダウンリンク損失を有するユーザに割当てるステップを含んでいることを特徴とする請求項１記載の方法。
【請求項９】
第１の優先順位を有するダウンリンクＤＣＨチャンネルリソース割当てキューをハンドオーバーユーザに割当て、前記第１の優先順位を有する割当てキューは単一のキューから形成され、
共通の新たに付加されたユーザおよび占有しているユーザに、第２の優先順位を有するダウンリンクＤＣＨチャンネルリソース割当てキューを割当て、前記第２の優先順位を有する割当てキューは異なる優先順位を有する複数のキューから形成され、
前記第１の優先順位を有する割当てキューは、前記第２の優先順位を有する割当てキューよりも高い優先順位を有し、嗜好に応じて高速度のＤＣＨを割当てられることを特徴とする請求項８記載の方法。
【請求項１０】
セルのカバー範囲、およびセル無線計画で決定されたその他の構造パラメータにしたがって、セルのダウンリンク損失を異なるレベルに分類し、ユーザのダウンリンク損失レベルがさらに小さいダウンリンク損失に対応するならば、そのユーザは、ＤＣＨの割当てを要求するとき、高い優先順位を有するダウンリンクＤＣＨリソース割当てキューに入ることを特徴とする請求項８または９記載の方法。
【請求項１１】
ダウンリンク損失を、ｉ）ユーザ装置がダウンロード損失の測定値をを直接提供する方法か、またはii）共通のパイロットチャンネルの既知の送信パワーと、ユーザ装置により与えられた前記共通のパイロットチャンネルの受信信号チャンネルパワーとの差を計算することによってダウンリンク損失を得る方法のいずれか一方によってダウンリンク損失を得ることを特徴とする請求項１０記載の方法。
【請求項１２】
前記ステップｃ）はさらに、以下のサブステップによって、ある速度を有するＤＣＨをソフトハンドオーバーで新たに付加されたユーザへダイナミックに割当てるステップを含み、即ち、
ｉ）第１の優先順位を有するダウンリンクＤＣＨリソース割当てキューに前記ソフトハンドオーバーで新たに付加されたユーザを配置し、
ii）前記ソフトハンドオーバーで新たに付加されたユーザの最初のダウンリンクＤＣＨ速度を、前記ユーザのアクチブセット中の他の無線リンクのダウンリンクＤＣＨ速度と同じであるように設定し、アップリンク及びダウンリンクアクセス制御弁別を実行し、
iii）アイドル状態にあるダウンリンクＤＣＨ中から前記ダウンリンク速度に対するダウンリンクＤＣＨを検索し、アイドル状態のダウンリンクＤＣＨを前記ソフトハンドオーバーで新たに付加されたユーザへ割当て、
iv）利用可能な状態にあるダウンリンクＤＣＨから前記ダウンリンク速度に対するダウンリンクＤＣＨを検索し、利用可能な状態のダウンリンクＤＣＨを前記ソフトハンドオーバーで新たに付加されたユーザへ割当て、
ｖ）前記ソフトハンドオーバーで新たに付加されたユーザに割当てられたダウンリンクＤＣＨに基づいて、対応する速度を有するアップリンクＤＣＨを前記ユーザに割当て、
vi）第１の優先順位を有する割当てキューから、前記ソフトハンドオーバーで新たに付加されたユーザを消去することを特徴とする請求項１記載の方法。
【請求項１３】
前記ステップii）において、アクセス弁別が失敗したならば、失敗理由がアップリンクおよび／またはダウンリンクアクセス制御の故障にあることを示すために応答メッセージガ送信され、一方、割当てが終了され、前記ソフトハンドオーバーで新たに付加されたユーザは第１の優先順位を有する割当てキューから消去されることを特徴とする請求項１２記載の方法。
【請求項１４】
前記ステップiv）において、前記ダウンリンク速度のダウンリンクＤＣＨが利用可能な状態のダウンリンクＤＣＨから発見されないならば、一致する速度のダウンリンクＤＣＨが存在しないことを示す応答メッセージが返送され、一方、割当てが終了され、前記ソフトハンドオーバーで新たに付加されたユーザは第１の優先順位を有する割当てキューから消去されることを特徴とする請求項１２記載の方法。
【請求項１５】
前記ステップiv）において、前記ダウンリンク速度のダウンリンクＤＣＨが利用可能な状態のダウンリンクＤＣＨから発見されたならば、さらに、占有されたユーザのダウンリンクＤＣＨが占有されるのが許可されるか否かの決定が行われ、
占有が許可されるならば、利用可能な状態のダウンリンクＤＣＨは前記ソフトハンドオーバーで新たに付加されたユーザに割当てられ、占有されたユーザは、アイドル状態のダウンリンクＤＣＨリソースから、そのもとのダウンリンク速度に近いかそれよりも小さい速度を有するダウンリンクＤＣＨを再度割当てられ、
そうでなければ、ステップiv）に戻り、前記ソフトハンドオーバーで新たに付加されたユーザの利用可能な状態のダウンリンクＤＣＨから、前記ダウンリンク速度のダウンリンクＤＣＨを検索することを特徴とする請求項１２記載の方法。
【請求項１６】
前記ステップｃ）はさらに、以下のサブステップによって、ある速度を有するＤＣＨを、ソフトハンドオーバーで新たに付加されたユーザへダイナミックに割当てるステップを含み、即ち、
ｉ）第１の優先順位を有するダウンリンクＤＣＨリソース割当てキューに前記ソフトハンドオーバーで新たに付加されたユーザを配置し、
ii）前記ハードハンドオーバーで新たに付加されたユーザのダウンリンクＤＣＨ速度を、そのもとのダウンリンクＤＣＨ速度と同じであるように設定し、ダウンリンクアクセス制御弁別を実行し、
iii）アップリンクアクセス制御により可能にされ、ハードハンドオーバーで新たに付加されたユーザのもとのアップリンクＤＣＨ速度以下の値が、ダウンリンクＤＣＨ速度を有するダウンリンクＤＣＨに対応する、アップリンクＤＣＨ速度の値ドメインで発見されることができるか否かを決定し、
iv）アイドル状態にあるダウンリンクＤＣＨから前記ダウンリンク速度のダウンリンクＤＣＨを検索し、アイドル状態のダウンリンクＤＣＨを前記ハードハンドオーバーで新たに付加されたユーザへ割当て、
ｖ）利用可能な状態にあるダウンリンクＤＣＨから前記ダウンリンク速度のダウンリンクＤＣＨを検索し、利用可能な状態のダウンリンクＤＣＨを前記ハードハンドオーバーで新たに付加されたユーザへ割当て、
vi）前記ソフトハンドオーバーで新たに付加されたユーザに割当てられたダウンリンクＤＣＨに基づいて、対応する速度を有するアップリンクＤＣＨを前記ユーザに割当て、
vii）第１の優先順位を有する割当てキューから、前記ハードハンドオーバーで新たに付加されたユーザを消去することを特徴とする請求項１記載の方法。
【請求項１７】
前記ステップii）で、アクセス弁別が失敗したならば、再度、ダウンリンクアクセス制御弁別を受けるために、次に小さいダウンリンクＤＣＨ速度を取り上げ、
アクセス制御弁別に対してさらに小さい速度がないならば、故障の理由がアップリンクおよび／またはダウンリンクアクセス制御の故障にあることを示す応答メッセージを送信し、同時に割当てを終了し、第１の優先順位を有する割当てキューから、前記ハードハンドオーバーで新たに付加されたユーザを消去することを特徴とする請求項１６記載の方法。
【請求項１８】
前記ステップiii）において、アップリンクアクセス制御により可能にされ、ハードハンドオーバーで新たに付加されたユーザのもとのアップリンクＤＣＨ速度以下の値が、ダウンリンクＤＣＨ速度を有するダウンリンクＤＣＨに対応する、アップリンクＤＣＨ速度値ドメインで発見されないならば、前記ステップiii）の決定を反復するために次に小さいダウンリンクＤＣＨ速度を取り上げ、
前記ステップiii）の決定においてさらに小さい速度がないならば、故障の理由がアップリンクおよび／またはダウンリンクアクセス制御の故障にあることを示す応答メッセージを送信し、一方、割当てを終了し、第１の優先順位を有する割当てキューから、前記ハードハンドオーバーで新たに付加されたユーザを消去することを特徴とする請求項１６記載の方法。
【請求項１９】
前記ステップｖ）において、前記ダウンリンク速度のダウンリンクＤＣＨが利用可能な状態のダウンリンクＤＣＨから発見されないならば、より小さいダウンリンクＤＣＨ速度を取り上げ、前記ステップiv）に戻り、再度、アイドル状態のダウンリンクＤＣＨから、さらに小さいダウンリンク速度のダウンリンクＤＣＨを検索することを特徴とする請求項１６記載の方法。
【請求項２０】
前記ステップiv）において、前記ダウンリンク速度のダウンリンクＤＣＨが利用可能な状態のダウンリンクＤＣＨ中で発見されたならば、さらに、占有されたユーザのダウンリンクＤＣＨが占有されることを許可されるか否かの決定が行われ、
占有が許可されるならば、利用可能な状態のダウンリンクＤＣＨは前記ハードハンドオーバーで新たに割当てられたユーザに割当てられ、占有されたユーザは、アイドル状態のダウンリンクＤＣＨチャンネルリソースから、そのもとのダウンリンク速度に近いかそれよりも小さい速度のダウンリンクＤＣＨを再度割当てられ、
そうでなければ、前記ダウンリンク速度のダウンリンクＤＣＨは、前記ハードハンドオーバーで新たに割当てられたユーザに対して利用可能な状態のダウンリンクＤＣＨから、再度検索されることを特徴とする請求項１６記載の方法。
【請求項２１】
前記ステップｃ）はさらに、以下のサブステップによって、ある速度を有するＤＣＨを、ハードハンドオーバーで新たに付加されたユーザへダイナミックに割当てるステップを含み、即ち、
ｉ）第２の優先順位を有するダウンリンクＤＣＨリソース割当てキュー中に前記ハードハンドオーバーで新たに付加されたユーザを配置し、
ii）アイドル状態で、アクセス制御により可能にされるダウンリンクＤＣＨが存在するか否かを決定し、ダウンリンクＤＣＨを前記共通の新たに付加されたユーザに割当て、
iii）前記ダウンリンクＤＣＨ速度に対応するアップリンクＤＣＨ速度値ドメイン範囲内に、アップリンクアクセス制御により可能にされるアップリンク速度が存在するか否かを決定し、アップリンクアクセス制御により可能にされるアップリンクＤＣＨ速度の最大値を前記共通の新たに付加されたユーザに割当て、
iv）前記共通の新たに付加されたユーザを、第２の優先順位を有する割当てキューから消去することを特徴とする請求項１記載の方法。
【請求項２２】
前記ステップii）において、アクセスを許容されたダウンリンクＤＣＨがアイドル状態にあるチャンネル中で発見されないならば、前記共通の新たに付加されたユーザを、再割当てを待機するためにそのキューの最後に位置させることを特徴とする請求項２１記載の方法。
【請求項２３】
前記ステップiii）において、アップリンクアクセス制御により可能にされるアップリンク速度が、前記ダウンリンクＤＣＨ速度に対応するアップリンクＤＣＨ速度値ドメイン範囲内で発見されないならば、ダウンリンクＤＣＨ速度をマークし、前記共通の新たに付加されたユーザを、再割当てを待機するためにそのキューの最後に位置させることを特徴とする請求項２１記載の方法。
【請求項２４】
前記ステップｃ）はさらに、以下のサブステップによって、ある速度を有するＤＣＨを占有しているユーザへダイナミックに割当てるステップを含み、前記サブステップは、
ｉ）第２の優先順位を有するダウンリンクＤＣＨリソース割当てキュー中に前記占有しているユーザを配置し、
ii）アイドル状態にあり、ダウンリンクアクセス制御により可能にされ、前記占有しているユーザのもとのダウンリンク速度よりも高い速度を有するダウンリンクＤＣＨが存在するか否かを決定し、高速度のダウンリンクＤＣＨを前記占有しているユーザに割当て、
iii）ダウンリンクアクセス制御により可能にされる利用可能な状態にあり、前記占有しているユーザのもとのダウンリンク速度よりも高い速度を有するダウンリンクＤＣＨが存在するか否かを決定し、高速度のダウンリンクＤＣＨを前記占有しているユーザに割当て、
iv）高速度のダウンリンクＤＣＨの速度に対応するアップリンクＤＣＨ速度値ドメイン範囲が、前記占有しているユーザのもとのアップリンクＤＣＨ速度を含んでいるか否かを決定し、前記占有しているユーザのアップリンクＤＣＨ速度をそのアップリンク速度として設定し、
ｖ）前記占有しているユーザを、第２の優先順位を有する割当てキューから消去することを特徴とする請求項１記載の方法。
【請求項２５】
前記ステップiii）において、アップリンクアクセス制御により可能にされる利用可能な状態にあり、前記占有しているユーザのもとのダウンリンク速度よりも高い速度を有するダウンリンクＤＣＨが存在しないならば、前記占有しているユーザを、再割当てを待機するためにそのキューの最後に位置させることを特徴とする請求項２４記載の方法。
【請求項２６】
前記ステップiii）において、ダウンリンクアクセス制御により可能にされ、前記占有しているユーザのもとのダウンリンク速度よりも高い速度を有する利用可能な状態にあるダウンリンクＤＣＨが存在することが決定されたならば、さらに、占有されたユーザのダウンリンクＤＣＨが占有されることを許可されるか否かを決定する決定が行われ、
占有が許可されるならば、前記ステップiv）で決定が行われ、
そうでなければ、前記占有しているユーザを、再割当てを待機するためにそのキューの最後に位置させることを特徴とする請求項２４記載の方法。
【請求項２７】
高速度のダウンリンクＤＣＨの速度に対応する、アップリンクＤＣＨ速度値ドメイン範囲が、前記占有しているユーザのもとのアップリンクＤＣＨ速度を含まないならば、アップリンクＤＣＨ速度の前記値ドメイン範囲内でアップリンクアクセス制御により可能にされる速度が存在するか否かの決定がさらに行われ、
前記速度が存在するならば、アップリンクＤＣＨ速度の前記値ドメイン範囲内であり、前記占有しているユーザのもとのアップリンクＤＣＨ速度に最も近く、アップリンクアクセス制御により可能にされるアップリンク速度が、前記占有しているユーザに割当てられ、
そうでなければ、現在のダウンリンクＤＣＨ速度がマークされ、前記占有しているユーザは再割当てを待機するためにそのキューの最後に位置されることを特徴とする請求項２４記載の方法。
【請求項２８】
占有しているユーザがアイドル状態にあるＤＣＨを使用するとき、そのもとのダウンリンクＤＣＨはアイドルチャンネルとして解除され、
占有しているユーザが利用可能な状態にあるＤＣＨを使用するとき、そのもとのダウンリンクＤＣＨは占有されたユーザに割当てられることを特徴とする請求項２４記載の方法。
【請求項２９】
第２の優先順位を有する前記ＤＣＨリソース割当てキューは割当てのために、加重されたラウンドロビン割当て方式を採用していることを特徴とする請求項９、２１、２４のいずれか１項記載の方法。
【請求項３０】
ＤＣＨが割当てられた後、ダウンリンクＤＣＨ占有を計時するためにタイマをスタートするステップと、
前記タイマを、前記ＤＣＨの無線測定と無線測定の下限ＭＵＬｌｏｗとの比較と組合わせて、予め定められたダウンリンクＤＣＨの最大の占有時間ＴＤＬｋ，ｍａｘおよび最小の占有時間ＴＤＬｋ，ｍｉｎと比較することにより、前記ＤＣＨの状態を決定するステップとをさらに含んでいることを特徴とする請求項１記載の方法。
【請求項３１】
ダウンリンクＤＣＨリソース割当てキューの長さが予め定められたしきい値を超えたとき、低速度チャンネルのＴＤＬｋ，ｍｉｎを適応的に増加するか、および／または高速度チャンネルのＴＤＬｋ，ｍａｘを適応的に減少することを特徴とする請求項３０記載の方法。
【請求項３２】
前記無線測定の結果は、トラフィック測定結果、送信チャンネルのフロー測定結果、またはチャンネル利用比測定結果を含むことを特徴とする請求項１記載の方法。
【請求項３３】
前記符号分割多元アクセス通信システムは、広帯域符号分割多元アクセス通信システムであることを特徴とする請求項１記載の方法。
【発明の詳細な説明】
【技術分野】
【０００１】
本発明は、移動体通信システムにおけるチャンネル割当てに関連する技術に関し、特に本発明は広帯域符号分割多元アクセス（ＷＣＤＭＡ）通信システムにおける専用のチャンネルのリソース割当ておよび速度制御方法に関する。
【背景技術】
【０００２】
ＵＭＴＳ（ユニバーサル移動体電気通信システム）は、ＷＣＤＭＡを使用する無線技術の第３世代の移動体通信システムである。図１に示されているＵＭＴＳ地上無線アクセスネットワーク（ＵＴＲＡＮ）のシステムアーキテクチャでは、無線ネットワーク制御装置（ＲＮＣ）はＩｕインターフェースを介してコアネットワークに接続され、ＲＮＣはＩｕｒインターフェースを介して相互に接続され、１つのＲＮＣはＩｕｂインターフェースを介して１以上のノードＢに接続される。ノードＢは１以上のセルを含んでおり、そのセルはユーザ装置（ＵＥ）が無線アクセス（図示せず）を有する基本単位であり、ここではＵＥとＵＴＲＡＮとの間の無線インターフェースはＵｕインターフェース（図示せず）である。
【０００３】
ＵＭＴＳの標準化組織３ＧＰＰのプロトコル文書（第３世代のパートナーシッププロジェクト）では、主に、ＴＳ２５．２ＸＸ、ＴＳ２５．３ＸＸ、その他のＵＭＴＳ無線インターフェースプロトコルに関連する一連の仕様が存在する。図２に示されているようにＵＭＴＳ無線インターフェースプロトコルアーキテクチャでは、底部層は物理（ＰＨＹ）層であり、制御平面では、物理層の上に、メディアアクセス制御（ＭＡＣ）層と、無線リンク制御（ＲＬＣ）層と、無線リソース制御（ＲＲＣ）層がそれぞれが存在し、ユーザ平面では、無線インターフェースプロトコルは物理層と、ＭＡＣ層と、ＲＬＣ層と、パケットデータコンバージェンスプロトコル（ＰＤＣＰ）層とからなり、ここで、ＰＤＣＰ層はパケット−スイッチ（ＰＳ）ドメイン専用である。物理チャンネルは物理層により与えられ、論理チャンネルはＭＡＣ層とＲＬＣ層との間に設けられ、送信チャンネルはＭＡＣ層と物理層との間に設けられている。
【０００４】
アップリンク送信チャンネルはＲＡＣＨ（ランダムアクセスチャンネル）、ＣＰＣＨ（共通のパケットチャンネル）、ＤＣＨ（専用のチャンネル）等を含んでおり、ダウンリンク送信チャンネルはＢＣＨ（放送チャンネル）、ＰＣＨ（ページングチャンネル）、ＦＡＣＨ（順方向アクセスチャンネル）、ＤＳＣＨ（ダウンリンク共有チャンネル）、ＤＣＨ等を含んでおり、ここでユーザデータを伝送するためのアップリンク及びダウンリンク送信チャンネルは、ＲＡＣＨ／ＦＡＣＨ、ＣＰＣＨ／ＦＡＣＨ、ＤＣＨ／ＤＣＨ、ＤＣＨ／（ＤＣＨ＋ＤＳＣＨ）を含んでいる。アップリンク物理チャンネルは、ＰＲＡＣＨ（物理的ランダムアクセスチャンネル）、ＰＣＰＣＨ（物理的共通パケットチャンネル）、アップリンクＤＰＣＣＨ（専用の物理的制御チャンネル）、アップリンクＤＰＤＣＨ（専用の物理データチャンネル）等を含み、ダウンリンク物理チャンネルは、Ｐ−ＣＣＰＣＨ（一次的共通制御物理チャンネル）、Ｓ−ＣＣＰＣＨ（二次的共通制御物理チャンネル）、ＰＤＳＣＨ（物理的ダウンリンク共有チャンネル）、ダウンリンクＤＰＣＣＨ、ダウンリンクＤＰＤＣＨ等を含んでおり、これらの物理チャンネルは図３に示されているように、送信チャンネルとの対応する関連性を有し、ここでＤＰＣＨ（専用の物理チャンネル）はＤＰＣＣＨ／ＤＰＤＣＨの一般的用語である。さらに、ダウンリンクでは、ＳＣＨ（同期チャンネル）、ＣＰＩＣＨ（共通のパイロットチャンネル）、ＡＩＣＨ（捕捉インジケータチャンネル）、ＰＩＣＨ（ページング指示チャンネル）、ＣＳＩＣＨ（ＣＰＣＨ状態指示チャンネル）、ＣＤ／ＣＡ−ＩＣＨ（衝突検出／チャンネル割当て指示チャンネル）等が存在し、これら全ては物理層に対して特有である。
【０００５】
ＵＭＴＳベアラサービスは主に、さらに高い実時間の要求と、実時間ではない対話と背景トラフィックによる会話およびストリーミングトラフィックを有している。ユーザデータの伝送のためのＲＡＣＨ、ＣＰＣＨ、ＦＡＣＨ、ＤＣＨ、ＤＳＣＨの中で、ＲＡＣＨ／ＦＡＣＨは、主として、低速度による実時間ではないバーストサービスのために使用され、ＣＰＣＨとＲＡＣＨは類似しているが、高いアップリンク送信速度を提供できる。ＤＳＣＨはダウンリンクを共有したタイプの送信チャンネルであり、高い速度の実時間ではないバーストサービスに対して非常に多く適合されるが、ＤＳＣＨはＤＣＨと共に使用されなければならない。ＤＣＨは双方向の専用の送信チャンネルであり、設定されるとき、そのリソースはそのチャンネルが解除されるまで全体的に占有され、そのため、ＤＣＨは実時間サービスの送信要求を満たすことができる。しかしながら、ＤＣＨが実時間ではないサービスの送信に使用されるとき、チャンネル帯域幅の利用比率は低く、したがって、可能な限り無線リソースの利用比率を改良するために、適切なスケジュール化及び割当てアルゴリズムを採択する必要がある。３ＧＰＰの仕様ＴＳ３４．１０８によれば、ＤＣＨ（対応する物理チャンネルはＤＰＣＨである）を使用して対話／背景サービスを典型的に送信する無線アクセスベアラ（ＲＡＢ）の最大のアップリンク及びダウンリンク速度が図４に示されており、現在のＵＭＴＳビジネスシステムは通常、これらのＲＡＢの一部または全部をサポートする。実時間ではないパケットデータサービスのアップリンク／ダウンリンクの非対称性により、アップリンク及びダウンリンク速度の典型的な形態は、アップリンク速度がダウンリンク速度よりも小さく、このケースはさらに高い速度であるときに、依然として生じることが分かる。
【０００６】
Ｒ９９バージョンに基づく現在のＵＭＴＳ商用システムでは、ＵＥ商品の大部分はＣＰＣＨとＤＳＣＨとを良好にサポートできない。したがって、ＲＡＣＨ／ＦＡＣＨを使用して送信される少量のデータを有する実時間ではないサービス以外に、共通の実時間ではないサービスは全てＤＣＨを使用して送信される必要がある。他方で、実用的な３Ｇ市場による高速度データサービスの期待により、最大で３８４ｋｂｐｓの帯域幅の要求が挙げられている。しかしながら、実時間ではないデータサービスのための高速度チャンネルのリソースは基本的にダウンリンク方向で制限される。一方で、ＤＣＨリソースの一部は適応可能な多速度（ＡＭＲ）音声及びその他の実時間サービスに使用される必要があり、他方では、実時間ではないサービスのアップリンク／ダウンリンクの非対称性と、パワーおよび直交可変拡散ファクター（ＯＶＳＦ）チャンネルコードについての限定により、実際に実時間ではないサービスで使用されることのできる高速度ＤＣＨチャンネルのリソースは制限される。それ故、チャンネル帯域幅リソース割当て及び速度制御のための効率的な方法は、無線リソース使用を改良し、最大の限度まで、ユーザに対して可能な限り高いデータサービス帯域幅を提供することができ、これはデータサービスに関して３Ｇ市場の成功に影響する重要な要因の１つである。
【０００７】
専用のチャンネルリソース割当ておよび速度制御の重要な要因は、サービスソースの実際のデータ速度である。ＵＴＲＡＮのみが無線アクセスベアラを提供し、サービスソースのサービス状態情報を直接得ることができないので、ＵＴＲＡＮが、ある手段によって、サービスソースのデータ速度送信要求を判断することが必要である。現在では、ＵＭＴＳは主として、サービスソースの速度要求を反映するために送信チャンネルのトラフィックの測定を採用している。測定に関する詳細は３ＧＰＰ  ＴＳ２５．３２１、ＴＳ２５．３３１及びその他の仕様と、発明の名称“Method of measuring traffic volume in mobile communication system”の米国特許出願US 2002/004280 A1を参照することによって参照されることができる。ＵＴＲＡＮはダウンリンクＭＡＣのトラフィックの測定結果と、測定制御情報をＲＲＣを介して直接得ることができ、さらにＵＥにより与えられるアップリンクＭＡＣのトラフィックの測定結果も得ることができる。トラフィックの典型的な測定結果は、現在のバッファの占有量、平均的なバッファの占有量、バッファの占有度の変化（バイトによる）を有し、ここで平均的なバッファの占有量は送信チャンネルで伝送されたサービスのデータ速度状態を反映し、バッファの占有度の変化は送信チャンネルで伝送されたサービスバーストの大きさを反映している。
【０００８】
トラフィックに加えて、サービス速度を反映する別の可能な測定対象は各送信チャンネルのフローまたはチャンネル利用比である。送信チャンネルのフローは各送信チャンネルにより各ＴＴＩ（送信時間間隔）中に送信された（ダウンリンク）または受信された（アップリンク）転送ブロックのユーザデータ量であり、送信チャンネル利用比は次の式で規定される。  
転送チャンネル利用比＝転送チャンネル平均フロー／転送チャンネルＴＴＩ
転送チャンネルの最大のチャンネル速度        （１）
フローまたはチャンネル利用比はトラフィックよりも簡単に測定されることができ、ＵＥからの測定報告を必要とせずに、ＲＮＣ中で直接測定されることができる。同様に、平均値およびフローまたはチャンネル利用比の変化も得ることができる。
【０００９】
３ＧＰＰの文献ＴＲ２５．９２２は送信チャンネルのトラフィック測定とＤＣＨ／ＤＣＨの速度変化方法に基づいて、ＤＣＨ／ＤＣＨとＲＡＣＨ／ＦＡＣＨとの間のハンドオーバーを述べている。この文献にしたがって、トラフィックがあるしきい値を超えるとき、ＲＡＣＨ／ＦＡＣＨからＤＣＨ／ＤＣＨへのハンドオーバーの能力または拡散ファクターの減少によるＤＣＨ速度の改良能力が存在する。反対に、トラフィックがあるしきい値よりも小さいとき、ＤＣＨ／ＤＣＨからＲＡＣＨ／ＦＡＣＨへのハンドオーバーの能力または拡散ファクターの増加によってＤＣＨ速度を改良する能力が存在する。さらに、発明の名称“Channel-type switching to a common channel based on common channel load”と題する米国特許出願US 2003/0012217 A1と、発明の名称“Channel-type switching from a common channel to a dedicated channel base on common channel load”のＰＣＴ特許WO 01/31950 A1と、発明の名称“Channel-type switching based on cell load”のWO 01/76304 A1と、発明の名称“Channel switching in UMTS”のWO 02/39775 A1と、その他の文献は、同様にＤＣＨ／ＤＣＨとＲＡＣＨ／ＦＡＣＨ間のハンドオーバーのための複数の決定方法を提案している。
【００１０】
３ＧＰＰの文献ＴＲ２５．９２２と、文献ＴＲ２５．３３１によれば、ＤＣＨ／ＤＣＨとＲＡＣＨ／ＦＡＣＨ間のハンドオーバー中、セルの共通のチャンネルの現在の構造が、ＲＲＣプロセス、即ち“物理チャンネル再構成”または“送信チャンネル再構成”を介して、ＵＥ中の保留された構造と同一であるか否かに基づいてチャンネルハンドオーバーを実行することが典型的であり、ＤＣＨ／ＤＣＨ速度の変化中に、ＲＲＣプロセス、即ち“物理チャンネル再構成”によりチャンネル速度を変更することが典型的である。
【発明の開示】
【発明が解決しようとする課題】
【００１１】
従来の技術では、最も関心のあるのは、ＤＣＨ／ＤＣＨとＲＡＣＨ／ＦＡＣＨとの間のハンドオーバーの方法である。ＤＣＨの帯域幅リソース割当て及び速度制御に関して、送信チャンネルのトラフィック測定に基づいてＤＣＨ速度変化を行うか否かを決定することだけが可能にされる。前述したように、ＤＣＨの帯域幅リソース、特にダウンリンクＤＣＨの帯域幅リソースが制限されるが、主要なデータ送信はＤＣＨにより実行される。したがって、セル内の全体的な利用可能なＤＣＨ帯域幅リソースを効率的に割当て、スケジュールする方法は、無線リソースの使用を改良し、最大の限度まで、ユーザに対して、可能な限り高いデータサービス帯域幅を提供するための鍵となる。この観点から、本発明は専用のチャンネルのリソース割当てと速度制御の効率的な方法を設定する。
【００１２】
従来技術において、専用のチャンネルの帯域幅リソース割当ておよび速度制御のための効率的な方法に欠けている問題を解決するために、本発明の１目的は、セル内の全体的な利用可能なＤＣＨチャンネル帯域幅リソースを効率的に割当て、スケジュール化するために、専用のチャンネルの帯域幅リソース割当ておよび速度制御のための効率的な方法を提供することであり、それによって無線リソースの利用比率が改善され、最大の限度まで、ユーザに対して、可能な限り高いデータサービス帯域幅を提供することができる。
【課題を解決するための手段】
【００１３】
本発明は、広帯域符号分割多元アクセス（ＷＣＤＭＡ）通信システムにおける実時間ではないデータサービスのための専用のチャンネルＤＣＨのリソース割当ておよび速度制御方法を提供し、ここで、前記ＤＣＨチャンネルはアップリンクＤＣＨチャンネルとダウンリンクＤＣＨチャンネルとを含み、アップリンクＤＣＨチャンネルのチャンネルリソースと速度の割当てはダウンリンクＤＣＨチャンネルのリソースと速度の割当てに基づいて行われ、その方法は、
ａ）実時間ではないデータサービスのためのダウンリンクＤＣＨチャンネルのチャンネル状態を決定するステップと、
ｂ）前記ダウンリンクＤＣＨチャンネルを使用してユーザの状態を決定するステップと、
ｃ）ステップａ）で決定されたチャンネル状態を、ステップｂ）で決定されたユーザ状態と相関させて、現在の送信チャンネルにより測定された無線測定結果、および優先順位と公平要求に基づいて、異なるユーザ状態におけるユーザに対して、ある速度を有するＤＣＨチャンネルをダイナミックに割当てるステップを含んでおり、
前記ＤＣＨチャンネル状態はブロックされた状態と、マクロダイバーシティ状態と、利用可能な状態と、アイドル状態および凍結状態とを含んでおり、
前記ユーザ状態は、占有しているユーザと、共通の新たに付加されたユーザと、ハンドオーバーで新たに付加されたユーザと、占有されたユーザと、メンテナンスユーザまたはマクロダイバーシティユーザとを含んでいる。
【００１４】
本発明による方法は、実時間ではないデータサービスの高速度チャンネルのリソースがかなり限定されるという従来技術の問題を解決する。本発明の方法を実行することにより、利用可能なＤＣＨチャンネルリソースのチャンネル状態が実時間で、現在のユーザ状態と相関されることができ、異なるユーザ状態のユーザは、合理的に割当てられたＤＣＨチャンネルリソースである。結果として、帯域幅リソース割当ておよび速度制御は効率的に実現され、無線リソースの利用比は改善され、ユーザは最大の限度まで、ユーザに対して可能な限り高いデータサービス帯域幅を提供されることができる。
【発明を実施するための最良の形態】
【００１５】
本発明によるＷＣＤＭＡ通信システムにおける無線チャンネルのリソース割当ておよび速度制御方法を添付図面を参照して、以下詳細に説明する。  
本発明を実行するための最良のモードを添付図面を参照して以下詳細に説明する。したがって、本発明の利点、特性、他の特徴についての以下の詳細な説明を読んだ後、当業者は本発明を良好に理解するであろう。
【００１６】
ＵＭＴＳでは、実時間ではないデータサービスのアップリンク／ダウンリンクの非対称性と、ダウンリンクパワーおよび直交可変拡散ファクター（ＯＶＳＦ）チャンネルコードにおける制限により、ダウンリンクではＤＣＨリソース割当てに対するボトルネックが生じる。それ故、本発明はダウンリンクＤＣＨのリソース割当ておよび速度制御を目的とする。無線測定値の迅速な変化から生じるピンポン効果を避けるために、測定値があるしきい値よりも大きいか小さいかは、以下の説明では、この結果が常に遅延時間内に維持されていることを意味している。さらに、ＵＥの能力の差によって、幾つかの速度を有するＤＣＨはサポートされることができない。したがって、アップリンクおよびダウンリンクＤＣＨのリソース割当ては、以下説明するように、速度がＵＥによりサポートされることができないＤＣＨチャンネルがＵＥに割当てられないという前提の下である。  
１．実時間ではないサービスにおけるダウンリンクＤＣＨのリソース割当て  
（ａ）実時間ではないサービスに対するダウンリンクＤＣＨのリソース割当て装置
実時間ではないサービスに対するダウンリンクＤＣＨのリソース割当て装置によれば、図５に示されているように、実時間ではないサービスに対するＤＣＨの帯域幅の割当ておよび速度制御装置（ＤＣＡＵ）は、送信チャンネルのトラフィック、フローまたはチャンネル利用比のような無線測定に基づいて、実時間ではないサービスに対してダウンリンクＤＣＨの現在の利用可能なチャンネルセットにおける各アクチブユーザに対して、ある速度を有するダウンリンクＤＣＨをダイナミックに割当てる役目を行う。セル中のダウンリンクチャンネルのＤＣＨリソース管理装置（ＤＲＭＵ）は、現在のセル中のＤＣＨの実時間および実時間ではないサービスのアクチブユーザ、ダウンリンクロード、その他の情報にしたがって、実時間ではないサービスのダウンリンクＤＣＨの現在の利用可能なチャンネルセット（即ち実時間ではないサービスに対するダウンリンクＤＣＨのチャンネルリソースプール）をＤＣＡＵに与え、実時間ではないサービスの現在のアクチブユーザ数よりも常に少なくないことを、セットのサイズ、即ちセット中のチャンネル数において確実にする。実時間及び実時間ではないサービスに対するＤＣＨのアクチブユーザの増加または減少と、ダウンリンクロードの変化のような要因により、実時間ではないサービスに対するダウンリンクＤＣＨの現在の利用可能なチャンネルセットは可変であるが、セット中の変化は、実時間ではないサービスのアクチブユーザのダウンリンクＤＣＨ速度の変化と比較して、通常は非常に遅い。
【００１７】
図５では、ＤＲＭＵに接続された他の２つのユニットは、ＯＶＳＦチャンネルコードの割当ておよび管理装置と、セルユーザ管理装置であり、ここでＯＶＳＦチャンネルコードの割当て及び管理装置はダウンリンクチャンネルコードリソースの割当て及び管理の役目を行い、セルユーザ管理装置は共通及び専用のチャンネル間のハンドオーバーの管理と、ユーザの初期アクセス及び解除と、ハンドオーバーユーザのアクセス及び解除を実行する。セルユーザ管理装置は、新たに付加されたユーザの関連情報をＤＲＭＵへ転送し、そのＤＲＭＵは新たな実時間ではないサービスユーザに対するＤＣＨチャンネル割当てを完了するためにＤＣＡＵを制御する。その後、ＤＣＡＵはＤＣＨチャンネル割当ての結果をＤＲＭＵへフィードバックし、ＤＲＭＵはセルユーザ管理装置に割当て結果を通知する。前述したように、ＤＲＭＵはさらに、ＤＣＨの実時間及び実時間ではないサービスのアクチブユーザの現在の情報にしたがって、実時間ではないサービスに対してダウンリンクＤＣＨのチャンネルリソースプールを、ダウンリンクロード等と組合わせて、さらに構成し、その情報はセルユーザ管理装置によって提供される。したがって、ＤＲＭＵとＤＣＡＵとの間の対話プロセスは、新しい実時間ではないサービスユーザに対するダウンリンクＤＣＨのダウンリンクチャンネル割当て及び解除と、実時間ではないサービスに対するダウンリンクＤＣＨのチャンネルリソースの再割当てとを含んでいる。
【００１８】
（ｂ）実時間ではないサービス用のダウンリンクＤＣＨのリソース再割当てプロセス  
ダウンリンクＤＣＨのチャンネルリソース再割当てプロセスは、占有状態の情報、即ち現在のダウンリンクＤＣＨリソースプール中の各ＤＣＨの状態についてＤＣＡＵに問合わせることによって、ＤＲＭＵが、ダウンリンクＤＣＨの現在のリソース状態にしたがってダウンリンクＤＣＨリソースプールを再構成することを意味する。ダウンリンクＤＣＨリソースプールは、ＤＲＭＵがＤＣＨを実時間ではないサービスのためのダウンリンクＤＣＨリソースプールへ付加するか、又はそこから削除し、ＤＣＨを分割または組合わせる等の複数の理由で再構成される。ＤＣＨの分割は、実時間ではないサービスに対するダウンリンクＤＣＨリソースプール中の幾つかの高い速度のＤＣＨのＯＶＳＦチャンネルコードを分割することによって、ＤＲＭＵは複数の低い速度のＤＣＨを得ることを意味し、このプロセスは主として次のケースで使用される。即ち、実時間サービスユーザに対してある速度を有するダウンリンクＤＣＨを割当てることが必要であるが、対応するチャンネルコードリソースが存在しないとき、ＤＲＭＵは実時間ではないサービスに対するダウンリンクＤＣＨリソースプールの幾つかのＤＣＨの速度を減少し、ＯＶＳＦチャンネルコード再割当てを通して、実時間サービスに対して必要とされるダウンリンクＤＣＨを提供するケースと、実時間ではないサービスのアクチブユーザ数があるしきい値まで増加し、特に実時間ではないサービスのためのダウンリンクＤＣＨリソースプール中のＤＣＨ数を超えるとき、ＤＲＭＵは実時間ではないサービスのダウンリンクＤＣＨリソースプールの幾つかのＤＣＨの速度を減少させ、ＯＶＳＦチャンネルコード再割当てを通して、より多くの実時間ではないサービスアクチブユーザがアクセスを得ることを可能にするケースと、ダウンリンクオーバーロードの場合に、セルオーバーロード制御機能装置が、ＤＲＭＵに対して、実時間ではないサービスのためのダウンリンクＤＣＨリソースプールの幾つかの高い速度のＤＣＨの速度を減少することによって、ダウンリンクロードを減少することを要求するケースである。反対に、実時間または実時間ではないアクチブユーザの数が減少するか、ダウンリンクオーバーロードが除去されるとき、ＤＲＭＵは、ＯＶＳＦチャンネルコード再割当てを通して、低速度のＤＣＨを高速度のＤＣＨへ結合し、実時間ではないサービスアクチブユーザに対してより大きな帯域幅を提供する。さらに、ＯＶＳＦチャンネルコード割当て及び管理装置は、ＤＲＭＵがダウンリンクＯＶＳＦコードリソースを最適化するために実時間ではないサービスに対する現在のダウンリンクＤＣＨリソースプールを変更することも要求することができる。典型的なケースはダウンリンクコードツリー再ウォッシュ動作であり、その場合にはＯＶＳＦチャンネルコード割当て及び管理装置は、ＯＶＳＦコードツリー中のあるノードに対応するＤＣＨが、ＯＶＳＦコードツリーの別のノードに対応する同一の速度を有するＤＣＨとして再構成されることを要求し、この再構成はＤＣＨの速度を変化しない。
【００１９】
図６のａは、実時間ではないサービスにおけるダウンリンクＤＣＨのチャンネルリソース割当てプロセスを示している。ＤＣＡＵがＤＲＭＵにより送信されたダウンリンクＤＣＨのリソース割当てのリクエストを受信すると、そのＤＣＡＵは直ちに、現在のＤＣＨチャンネルリソースプールの全てのチャンネルを凍結状態に設定し、全てのＤＣＨ帯域幅割当ておよび速度制御の動作を停止し、ＤＲＭＵに対して、現在のダウンリンクＤＣＨチャンネルリソースプール中の全てのＤＣＨの状態情報を含んだ応答を送信し、その応答を受信した後、ＤＲＭＵはＤＣＨの現在の状態情報に基づいて、要求されたように実時間ではないサービスに対するダウンリンクＤＣＨリソースプールを再構成し、その再構成はＤＣＨの速度をアイドル、利用可能、ブロックされた状態中で変更することができ、マクロダイバーシティ状態のＤＣＨは速度の変更なしに再構成を可能にする。再構成がもと、利用可能、ブロック、マクロダイバーシティの状態であるＤＣＨを変更するならば、ＤＲＭＵは前述のチャンネルのユーザに対して新しいダウンリンクＤＣＨを再度割当て、ＤＲＭＵから再割当ての結果を受信後、ＤＣＡＵは実時間ではないサービスに対するダウンリンクＤＣＨリソースプールを更新し、新しいダウンリンクＤＣＨを前述のユーザに割当てる。新たに指定されたダウンリンクＤＣＨがもとのダウンリンクＤＣＨの速度とは異なる速度を有するならば、ＤＣＨのダウンリンクＤＣＨ占有タイマはリセットされ、ＤＣＨはブロックされた状態に入り、そうでなければ、前の凍結状態に戻る。
【００２０】
（ｃ）新しい実時間ではないサービスユーザに対するダウンリンクＤＣＨの割当ておよび解除プロセス  
ＤＲＭＵとＤＣＡＵとの間のその他の対話プロセスは新しい実時間ではないサービスユーザに対するダウンリンクＤＣＨの割当ておよび解除プロセスである。実時間ではないサービスユーザがシステムに対して最初のアクセスをするか、または（ハードハンドオーバー、ソフトハンドオーバー、およびソフトなハンドオーバーを含む）ハンドオーバーを他のセルからの現在のセルに対して行うか、ＲＡＣＨ／ＦＡＣＨからＤＣＨへハンドオーバーする期間に新たに付加されるとき、ＤＲＭＵはＤＣＡＵに、新しいユーザのタイプ（即ち、これらが新たに付加される理由）、（ハンドオーバーユーザに関する）速度要求、その他の情報を通知し、ＤＣＡＵはその情報にしたがって、新しい実時間ではないユーザにおけるＤＣＨ割当てを完了し、図６のｂに示されているように、割当て結果をＤＲＭＵにフィードバックする。新たに付加する理由は少なくとも、ユーザの初期アクセス、ＲＡＣＨ／ＦＡＣＨからＤＣＨへのハンドオーバー、現在のセルへのハードハンドオーバー、現在のセルへのソフトハンドオーバー、現在のセルへのさらにソフトなハンドオーバー等を含んでいる。反対に、実時間ではないユーザが、変換が終了するケースで除去される必要があるとき、ハンドオーバーは現在のセル外で行われるか、またはハンドオーバーはＤＣＨからＲＡＣＨ／ＦＡＣＨ等へ行われ、ＤＲＭＵはＤＣＡＵに対して、それにより占有されていたＤＣＨリソースを解除するように通知し、ＤＣＡＵは解除結果をＤＲＭＵへフィードバックする。
【００２１】
２．実時間ではないサービスに対するダウンリンクＤＣＨの帯域幅割当ておよび速度制御  
前述したように、ＤＣＡＵは、送信チャンネルのトラフィック、フローまたはチャンネル利用比のような無線測定に基づいて、実時間ではないサービスにおいてダウンリンクＤＣＨの現在の利用可能なチャンネルセットにおける各アクチブユーザに対して、ある速度を有するダウンリンクＤＣＨをダイナミックに割当てる役目を行う。
【００２２】
（ａ）ダウンリンクＤＣＨに対するリソース状態および状態転送プロセス  
・ブロック状態  
頻繁なチャンネル速度切換えは無線通報量を増加し、それによってより多くの無線リソースが占有され、ネットワークの通報処理の負担は大きくなる。したがって、本発明にしたがって、ピンポン効果を防止し、チャンネル速度切換えのコストを減少するために、ダウンリンクＤＣＨ占有タイマはＤＣＨが割当てられた直後に始動され、タイマがＴＤＬｋ，ｍｉｎよりも小さい時間を示すとき、ＤＣＨのトラフィック、フローまたはチャンネル利用比または他の無線測定がどのように変化しても、ＤＣＨリソースは常にブロックされ、他のユーザにより占有されることができず、ＤＣＨがＴｋ，ｍｉｎＤＬよりも長い時間占有されるが、最大の占有時間ＴＤＬｋ，ｍａｘ内であり、（ＴＤＬｋ，ｍａｘ＞ＴＤＬｋ，ｍｉｎ）、トラフィック、フローまたはチャンネル利用比等を含むＤＣＨの無線測定が下限ＭＤＬｌｏｗよりも高いならば、チャンネルリソースもブロックされる。ＴＤＬｋ，ｍｉｎはｋ番目のダウンリンクＤＣＨの最小の占有時間であり、ＴＤＬｋ，ｍａｘはｋ番目のダウンリンクＤＣＨの最大の占有時間であり、下付けのｋはＤＣＨを異なる速度により区別するためのものである（ＤＣＨが高から低の順序で速度を有するという一般的な仮定は、受入れられる）。
【００２３】
・マクロダイバーシティ状態  
現在のセルのＤＣＨユーザがソフトハンドオーバーまたはさらにソフトなハンドオーバーのマクロダイバーシティ状態に入るとき、ＤＣＨはマクロダイバーシティ状態に入り、そのダウンリンクＤＣＨの占有時間はリセットされ、カウントを休止する。速度制御はこの状態のＤＣＨでは行われない。
【００２４】
・利用可能な状態  
公正さを補償するために、各データサービスユーザが高速度チャンネルの使用権を得るために同一の機会を有している場合であっても、本発明にしたがって、ＤＣＨが最大の占有時間ＴＤＬｋ，ｍａｘを超える時間を占有されるとき、ＤＣＨのトラフィック、フローまたはチャンネル利用比または他の無線測定がどのように変化しても関係なく、ＤＣＨは常に利用可能な状態であり、即ち、他のユーザにより占有されることができる。さらに、ＤＣＨがＴＤＬｋ，ｍｉｎを超える時間を占有されるが、最大の占有時間ＴＤＬｋ，ｍａｘ内であり（ＴＤＬｋ，ｍａｘ＞ＴＤＬｋ，ｍｉｎ）、ＤＣＨのトラフィック、フローまたはチャンネル利用比、他の無線測定が下限ＭＤＬｌｏｗよりも低いならば、チャンネルリソースはまた利用可能な状態である。
【００２５】
・アイドル状態  
アイドル状態のＤＣＨは、実時間ではないサービスにおける現在のＤＣＨリソースプール中の任意のユーザにより使用されないＤＣＨである。アイドル状態のＤＣＨは、典型的に次の理由に対して発生される。即ち、セルダウンリンクＤＣＨリソース管理装置が実時間ではないサービスに対するＤＣＨリソースプールを調節するので、ＤＣＨが新たに付加されるという理由と、会話が終了したので、実時間ではないサービスユーザにより占有されるＤＣＨが解除されるという理由と、実時間ではないサービスユーザがＲＡＣＨ／ＦＡＣＨへのハンドオーバーを行うので、それによって占有されているＤＣＨが解除されるという理由と、実時間ではないサービスユーザが他のセルへのハンドオーバーを行うので、それによって占有されているＤＣＨが解除されるという理由である。
【００２６】
・凍結状態  
ＤＲＭＵからダウンリンクＤＣＨリソース再割当てリクエストを受信した後、ＤＣＡＵは直ちに現在のダウンリンクＤＣＨリソースプール中の全てのチャンネルを凍結状態に設定する。もとのブロック状態のＤＣＨに関しては、そのダウンリンクＤＣＨ占有タイマが休止され、ＤＣＨ帯域幅割当ておよび速度制御の全ての動作もまた停止されるが、ＤＣＨのトラフィック、フローまたはチャンネル利用比、他の無線測定は依然として行われる。ダウンリンクＤＣＨリソース再割当てが完了された後、再割当ての前または後に変更のないチャンネルは直ちに凍結状態の前の状態に復元される。変更されたＤＣＨに関しては、新たに割当てられたダウンリンクＤＣＨがもとのダウンリンクＤＣＨの速度とは異なる速度を有するならば、そのダウンリンクＤＣＨの占有タイマはリセットされ、ＤＣＨはブロックされた状態に入り、そうでなければ、これらは凍結状態の前の状態に入る。ＤＣＨが凍結状態ではなくなった後、ダウンリンクＤＣＨ占有タイマのカウントは直ちに再開される。
【００２７】
・状態転送プロセス  
図７は、ダウンリンクＤＣＨのリソース状態転送プロセスを示しており、ここでアイドル、ブロック、利用可能、凍結、マクロダイバーシティは、それぞれアイドル状態、ブロックされた状態、利用可能な状態、凍結状態、マクロダイバーシティ状態を表している。ＤＣＨは実時間ではないサービスに対するダウンリンクＤＣＨリソースプールの再割当てのために新たに付加され、アイドル状態に入り、そのユーザが会話を終了したためにブロックされた状態のＤＣＨは解除され、アイドル状態に入り、そのユーザが会話を終了したかＲＡＣＨ／ＦＡＣＨへのハンドオーバーを行ったために利用可能な状態のＤＣＨは解除され、アイドル状態に入り、そのユーザが他のセルへのハンドオーバーを行ったためにマクロダイバーシティ状態のＤＣＨは解除され、アイドル状態に入る。アイドル及び利用可能な状態のＤＣＨは、占有されたかまたは新たに付加されたユーザに割当てられるためにブロックされた状態に入り、そのユーザがマクロダイバーシティを止め、依然として現在のセルに留まるためにマクロダイバーシティ状態のＤＣＨはブロックされた状態に入り、ブロックされた状態のＤＣＨは、チャンネルの占有時間がＴＤＬｋ，ｍｉｎを超え、ＤＣＨのトラフィック、フローまたはチャンネル利用比、他の無線測定が下限ＭＤＬｌｏｗよりも低く、またはチャンネル占有時間がオーバーランされ、即ちＴＤＬｋ，ｍａｘよりも大きいとき、利用可能な状態に入る。アイドル、利用可能、ブロックされた状態のＤＣＨは、ソフトハンドオーバーまたはさらにソフトなハンドオーバーによりマクロダイバーシティ状態に入る。アイドル、ブロック、利用可能およびマクロダイバーシティ状態のＤＣＨは、実時間ではないサービスに対するダウンリンクＤＣＨリソース再割当てのために凍結状態に入るか、凍結状態を止める。
【００２８】
（ｂ）ダウンリンクＤＣＨの帯域幅割当て及び速度制御におけるユーザ  
・占有しているユーザ  
ダウンリンクＤＣＨがＴＤＬｋ，ｍｉｎを超えた時間を占有され、ダウンリンクＤＣＨのトラフィック、フローまたはチャンネル利用比およびその他の無線測定が上限ＭＤＬｈｉｇｈを超えているならば、ダウンリンクＤＣＨのユーザは、占有しているユーザと呼ばれる。ユーザはより高速度のダウンリンクＤＣＨの割当てを待機するためにダウンリンクＤＣＨリソース割当てキューに入る。ユーザのもとのダウンリンクＤＣＨのトラフィック、フローまたはチャンネル利用比、または他の測定が上限ＭＤＬｈｉｇｈよりも低いならば、ユーザはダウンリンクＤＣＨリソース割当てキューから消去されるべきである。しかしながら、ユーザのもとのダウンリンクＤＣＨが実時間ではないサービスにおける現在のダウンリンクＤＣＨ応答リソースプール中で最高の速度を有するチャンネルになるならば、そのユーザはもはやダウンリンクＤＣＨリソース割当てキューに入るために、占有しているユーザにはならない。アイドル及び利用可能な状態のダウンリンクＤＣＨは占有しているユーザに割当てられることができる。占有しているユーザは常に、それ自身の速度よりも高いチャンネル速度を有するダウンリンクＤＣＨに対して競合しようとし、占有しているユーザの典型的な特徴は、ユーザ自体が高速度のダウンリンクＤＣＨリソースを占有するとき、これはさらに、そのユーザによって占有されているもとのダウンリンクＤＣＨリソースを解除することである。
【００２９】
・共通の新たに付加されたユーザとハンドオーバーで新たに付加されたユーザ  
共通の新たに付加されたユーザは、実時間ではないサービスユーザがシステムに対する初期アクセスを得るか、ＲＡＣＨ／ＦＡＣＨからＤＣＨへのハンドオーバーを行うので、新たに付加される。共通の新たに付加されたユーザの典型的な特徴は、ユーザ自体が本来、ダウンリンクＤＣＨリソースをもたず、割当てプロセスを簡単にするために、アイドル状態のダウンリンクＤＣＨだけが共通の新たに付加されたユーザに割当てられることを許容されることである。共通の新たに付加されたユーザのもとのアップリンク及びダウンリンクＤＣＨ速度はゼロとしてマークされる。
【００３０】
ハンドオーバーにより新たに付加されたユーザは、他のセルから現在のセルへのハンドオーバー（ハードハンドオーバー、ソフトハンドオーバー、さらにソフトなハンドオーバーを含む）によって新たに付加される。ハンドオーバーで新たに付加されたユーザはそれ自体、ダウンリンクＤＣＨリソースをもたないが、ハンドオーバーユーザが優先順位を割当てられることを確実にするために、アイドル及び利用可能な状態のダウンリンクＤＣＨはハンドオーバーで新たに付加されたユーザに割当てられることを可能にされる。ソフトまたはさらにソフトなハンドオーバーにより、ハンドオーバーで新たに付加されたユーザに関しては、そのもとのアップリンク及びダウンリンクＤＣＨ速度はユーザのアクチブセット中の他の無線リンクのアップリンクおよびダウンリンク速度であり、ハードハンドオーバーにより、ハンドオーバーで新たに付加されたユーザに対しては、そのアップリンク及びダウンリンクＤＣＨ速度はユーザのもとのＤＣＨのアップリンクおよびダウンリンク速度である。
【００３１】
・占有されたユーザ  
利用可能な状態のダウンリンクＤＣＨを有するユーザは、占有されたユーザと呼ばれる。占有されたユーザのダウンリンクＤＣＨが占有しているユーザにより占有されるとき、これは直ちに、占有しているユーザのもとのダウンリンクＤＣＨを占有し、即ち占有しているユーザと占有されたユーザはその間で直接的な速度切換えをするためにチャンネル順列モードを採用する。
【００３２】
・メンテナンスユーザおよびマクロダイバーシティユーザ  
メンテナンスユーザはそのダウンリンクＤＣＨがブロックされた状態であるユーザであり、マクロダイバーシティユーザはそのダウンリンクＤＣＨがマクロダイバーシティ状態であるユーザである。これらの２つのタイプのユーザは他のユーザのダウンリンクＤＣＨリソースを占有せず、他方で、それらの自分のダウンリンクＤＣＨリソースが他のユーザによって占有されない。
【００３３】
（ｃ）ダウンリンク損失レベルおよびＤＣＨリソース割当てキューの優先順位  
ダウンリンクＤＣＨの平均送信パワーはサービスのターゲットである信号対妨害比（ＳＩＲ）と、ＤＣＨが伝送するユーザのデータ速度およびダウンリンク損失に正比例する。ダウンリンクパワーが制限されるとき、小さいダウンリンク損失を有するＵＥはターゲットＳＩＲを満たすための前提下で、より高い速度にさらに容易に到達することができる。したがって、より小さいダウンリンク損失を有するＵＥが、優先順位によりさらに高速度を得ることを可能にすることにより、あるダウンリンク送信パワーが決定される条件下で、セルダウンリンクがさらに高い全体的なデータ処理量に到達することを可能にする。したがって、本発明では、セルカバー範囲及びセル無線計画で決定された他の構造パラメータにしたがって、セルダウンリンク損失は異なるレベル（典型的に３−４レベル）に分類される。ユーザのダウンリンク損失レベルがさらに小さいダウンリンク損失に対応するならば、ユーザは、ＤＣＨの割当てを必要とするとき、高い優先順位を有するダウンリンクＤＣＨリソース割当てキューに入る。
【００３４】
ＵＭＴＳでは、ダウンリンク損失は２つの方法により得ることができる。即ち、ＵＥがダウンリンク損失の測定報告をサポートするならば、ＵＥはその測定値を直接提供し、ＵＥがダウンリンク損失の測定報告をサポートしないならば、ＵＥはＣＰＩＣＨ受信信号チャンネルパワー（ＣＰＩＣＨ  ＲＳＣＰ）を提供し、ＲＮＣはＣＰＩＣＨの既知の送信にしたがって、以下の式から測定値を解く。  
ダウンリンク損失（ｄＢ）＝ＣＰＩＣＨ送信パワー−ＣＰＩＣＨ  ＲＳＣＰ（２）
【００３５】
（ｄ）ダウンリンクＤＣＨリソース割当て方法およびキュー管理  
図８に示されているように、本発明によるダウンリンクＤＣＨリソース割当てキューは、２つのグループに分割され、ここでハンドオーバーで新たに付加されたユーザのダウンリンクＤＣＨリソース割当てキュー（ＨＱ）は、単一のキューから形成され、ハンドオーバーで新たに付加されたユーザのダウンリンクＤＣＨリソース割当ての役目を行い、ユーザの異なるダウンリンク損失レベルにしたがって、共通の新たに付加されたユーザおよび占有しているユーザのＤＣＨリソース割当てキュー（ＮＰＱ）は異なる優先順位を有する複数のキューからなり、共通の新たに付加されたユーザ及び占有しているユーザのダウンリンクＤＣＨリソース割当ての役目を行い、小さいダウンリンク損失を有する占有しているユーザ及び共通の新しく付加されたユーザは高い優先順位のＮＰＱキューに入る。
【００３６】
ＨＱキューは、高い優先順位を有する嗜好で割当てられるべきであり、ＨＱキューが空であるときのみ、ＮＰＱキューの割当て処理が実行される。ＮＰＱキューの割当て処理では、新しいハンドオーバーで新たに付加されたユーザがＨＱキューに入ると、ＮＰＱキューの割当て処理は直ちに中断され、ＨＱキューの割当て処理が実行される。ＨＱキューが空であるとき、又は空であるときのみ、ＮＰＱキューの割当て処理が継続される。
【００３７】
ＮＰＱスケジュール化は複数のフレキシブルなモードを使用して実行されることができる。本発明は特別なキュースケジュール化方法に限定されないが、好ましい解決方法として、本発明は加重されたラウンドロビン割当て方法を使用する。この解決方法では、割当ては高から低への優先順位によるポーリングで実行され、高い優先順位を有するキューは１つのポーリング下で、割当て機会を有する多数のユーザを有する。３つの優先順位レベルが１例として使用されるケースを取り上げると、高から低への加重された値は順に、４０％、３０％、２０％であり、１つのポーリングでの高から低への３つの優先レベルを有するキューはそれぞれ割当て機会を獲得できる４／３／２ユーザを有する。
【００３８】
共通の新たに付加されたユーザは、アイドル状態のダウンリンクＤＣＨリソースから、速度及びその他の条件を満たすダウンリンクＤＣＨのみ割当てられることができ、一方でハンドオーバーで新たに付加されたユーザ及び占有しているユーザの両者はアイドル及び利用可能な状態のダウンリンクＤＣＨリソースを割当てられることができ、ここで、各ユーザは嗜好で、アイドル状態のダウンリンクＤＣＨリソースから、速度及びその他の条件を満たすダウンリンクＤＣＨを割当てられる。アイドル状態のダウンリンクＤＣＨリソースが速度及びその他の条件を満たすダウンリンクＤＣＨをもたないならば、ユーザはその後、利用可能な状態のダウンリンクＤＣＨリソースから、速度及びその他の条件を満たすダウンリンクＤＣＨを割当てられる。
【００３９】
ソフトハンドオーバー及びさらにソフトなハンドオーバーから生じるＨＱキューのハンドオーバーで新たに付加されたユーザに関して、それらのダウンリンクＤＣＨ速度はユーザのアクチブセットの他の無線リンクのダウンリンクＤＣＨ速度と同一でなければならない。したがって、最初にアップリンク及びダウンリンクアクセス制御弁別を行うことが必要である。失敗したならば、失敗の理由がメッセージで指示され、アップリンクおよび／またはダウンリンクアクセス制御の故障として、ＤＲＭＵに戻されるべきであり、アクセス制御が許容されるならば、そのアクチブセットの他の無線リンクのダウンリンクＤＣＨ速度と同一の速度を有するダウンリンクＤＣＨは、アイドル状態のダウンリンクＤＣＨリソース中で検索され、これが発見されたならば、割当ては成功し、発見されなければ、前述の速度を有するダウンリンクＤＣＨは、利用可能な状態のダウンリンクＤＣＨリソース中で検索され、存在するならば、利用可能な状態のダウンリンクＤＣＨはハンドオーバーで新たに付加されたユーザに割当てられ、ダウンリンクＤＣＨユーザは、アイドル状態のダウンリンクＤＣＨリソースから、もとの速度に最も近いか、それよりも小さい速度を有するダウンリンクＤＣＨを再度割当てられ、利用可能な状態のダウンリンクＤＣＨリソースが一致する速度を有するダウンリンクＤＣＨをもたないならば、ハンドオーバーで新たに付加されたユーザに対する割当ては失敗し、その失敗の理由が応答メッセージで指示され、一致する速度を有するダウンリンクＤＣＨが存在しないとして、ＤＲＭＵに戻されなければならない。ソフトハンドオーバーまたはさらにソフトなハンドオーバーから生じるハンドオーバーで新たに付加されたユーザのＤＣＨ割当てプロセスが図９ａに示されている。
【００４０】
ハードハンドオーバーから生じるＨＱキュー中のハンドオーバーで新たに付加されたユーザに関して、最初に、そのダウンリンクＤＣＨ速度を、ユーザのもとのダウンリンクＤＣＨ速度と同じにさせ、ダウンリンクアクセス制御弁別を実行する。失敗したならば、次に小さいダウンリンクＤＣＨ速度を取り上げ、成功するまで、再度、ダウンリンクアクセス制御弁別を実行し、成功したならば、前述の速度を有するダウンリンクＤＣＨに対応する、アップリンクＤＣＨ速度の値ドメインで、アップリンクアクセス制御により許容され、ユーザのもとのアップリンクＤＣＨ速度に等しいかそれより小さい値について順に検索し、発見されないならば、次に小さいダウンリンクＤＣＨ速度を取り上げ、アップリンクアクセス制御により許容されるアップリンクＤＣＨ速度について、再度検索し、成功したならば、アクセス制御により許容されるアップリンクおよびダウンリンクＤＣＨ速度が発見される。それに続いて、アイドル状態のダウンリンクＤＣＨリソースにおいて、前述の速度を有するダウンリンクＤＣＨについて検索し、発見されたならば、割当ては成功し、発見されないならば、利用可能な状態のダウンリンクＤＣＨリソースにおいて、前述の速度を有するダウンリンクＤＣＨを検索し、存在するならば、利用可能な状態のダウンリンクＤＣＨはハンドオーバーで新たに付加されたユーザに割当てられ、ダウンリンクＤＣＨのユーザは、アイドル状態のダウンリンクＤＣＨリソースから、そのもとの速度に最も近いか、それよりも小さい速度を有するダウンリンクＤＣＨを再度割当てられる。利用可能な状態のダウンリンクＤＣＨリソースが一致した速度を有するダウンリンクＤＣＨをもたないならば、次に小さいダウンリンクＤＣＨ速度を取り上げ、アップリンクアクセス制御により許容されるアップリンクＤＣＨ速度について、再度検索し、前述の割当てプロセスを反復する。アップリンクとダウンリンクのアクセス制御が失敗しなければ、最小のダウンリンクＤＣＨ速度が使用を可能にされるので、ハンドオーバーで新たに付加されたユーザは常に、ある速度を有するダウンリンクＤＣＨを割当てられることができる。ハードハンドオーバーから生じるハンドオーバーで新たに付加されたユーザのＤＣＨ割当てプロセスは図９ｂで示されている。
【００４１】
優先順位を有するＮＰＱキューのダウンリンクＤＣＨ割当てプロセスでは、割当て機会を獲得した共通の新たに付加された使用に関して、割当てのためのアイドル状態のダウンリンクＤＣＨが存在し、ダウンリンクアクセス制御装置により許容されるならば、ユーザはダウンリンクＤＣＨチャンネルを使用し、そうではないならば、ユーザは再割当てを待機するためにその待ち行列の最後に位置され、もとのアップリンクとダウンリンクのＤＣＨ速度がゼロとしてマークされるので、ユーザは常に、複数のポール後、ある速度を有するダウンリンクＤＣＨリソースを獲得できる。以下の解析を参照すると、共通の新たに付加されたユーザのアップリンクおよびダウンリンクのＤＣＨ割当てプロセスが図９ｃに示されている。
【００４２】
優先順位を有するＮＰＱキューのダウンリンクＤＣＨ割当てプロセスでは、割当ての機会を獲得した占有しているユーザに対して、割当てのためのアイドル状態の高速度ダウンリンクＤＣＨが存在し、それがダウンリンクアクセス制御装置により可能にされるならば、占有しているユーザは高速度ダウンリンクＤＣＨを獲得し、アイドルリソースになるために直ちにそのダウンリンクＤＣＨを解除し、割当てのためのユーザのもとのダウンリンクＤＣＨよりも高い速度を有するアイドル状態のダウンリンクＤＣＨが存在し、ダウンリンクアクセス制御装置によりアクセスを得ることを可能にされるならば、ユーザは高速度ダウンリンクＤＣＨを占有し、そのもとのダウンリンクＤＣＨは占有されたユーザに直接割当てられる。ユーザのもとのＤＣＨよりも高い速度を有する利用可能またはアイドル状態のダウンリンクＤＣＨが存在しないか、またはダウンリンクアクセス制御弁別が失敗したならば、ユーザはそのキューの最後に置かれ、再割当てを待機する。以下の解析を参照すると、占有しているユーザのアップリンクおよびダウンリンクのＤＣＨ割当てプロセスが図９ｄに示されている。
【００４３】
（ｅ）ダウンリンクＤＣＨ割当て期間中のアップリンクＤＣＨ速度割当て問題  
占有しているユーザと占有されたユーザのダウンリンクＤＣＨ速度が再度割当てられるとき、アップリンクとダウンリンクのＤＣＨ速度は制限された値を有するので、適切なアップリンクＤＣＨ速度を同時に割当てることが必要である。さらに、共通の新たに付加されたユーザおよびハンドオーバーで新たに付加されたユーザもダウンリンクＤＣＨ速度を割当てられる時、適切なＤＣＨを割当てられる必要がある。
【００４４】
共通の新たに付加されたユーザに関して、ダウンリンクＤＣＨの割当てが成功すると、そのアップリンクＤＣＨ速度は、直ちに、アクセス制御により可能にされる、ダウンリンクＤＣＨ速度が対応する、アップリンクＤＣＨ速度の値ドメイン範囲内の速度の最大値として特定される。ダウンリンクＤＣＨ速度が対応する、アップリンクＤＣＨ速度値ドメイン範囲内の全ての値が、失敗したアクセス制御弁別を受けるならば、ダウンリンクＤＣＨ速度がマークされ、共通の新たに付加されたユーザは再割当てを待機するためにそのキューの最後に置かれる。再割当て中、ダウンリンクＤＣＨの速度は先の失敗期間中にマークされた速度より大きくてはならない。割当てが予め定められた時間範囲内で、依然として成功しないならば、その失敗の理由が、アップリンクアクセス制御の失敗として、ＤＲＭＵへ戻される応答メッセージで示される。ハンドオーバーで新たに付加されたユーザに関して、アップリンク及びダウンリンクのアクセス制御弁別は、ダウンリンクＤＣＨの割当てが成功する限り、最初にＤＣＨ割当ての前に行われ、そのアップリンクＤＣＨ速度はアップリンクアクセス制御弁別によりアクセスを得ることを可能にされる速度である。図９ｃは共通の新たに付加されたユーザのアップリンクＤＣＨ速度割当てプロセスを示している。
【００４５】
占有しているユーザに関して、その新たに付加されたダウンリンクＤＣＨ速度が常に、そのもとのダウンリンクＤＣＨ速度よりも大きいならば、高い速度を有するダウンリンクＤＣＨのアップリンクＤＣＨの速度は一般に、増加した値を有する。このようにして、高い速度を有する新たに割当てられたダウンリンクＤＣＨが対応しているアップリンクＤＣＨ速度の値ドメインが、もとのアップリンクＤＣＨ速度を含んでいるならば、もとのアップリンクＤＣＨ速度は変更されず、それ故アップリンクアクセス制御弁別は行わない。そうでなければ、新しいアップリンクＤＣＨ速度は値ドメイン内のもとのアップリンクＤＣＨ速度に最も近い値を取り、アップリンクアクセス制御弁別を行う。より高い速度を有する新たに割当てられたダウンリンクＤＣＨが対応する、アップリンクＤＣＨ速度の最小値が、依然として失敗したアップリンクアクセス制御を受けるならば、ダウンリンクＤＣＨ速度がマークされ、占有しているユーザは再割当てを待機するためにそのキューの最後に置かれ、再割当て期間中、ダウンリンクＤＣＨの速度は先の失敗期間中にマークされた速度より大きくてはならない。図９ｄは占有しているユーザのアップリンクＤＣＨ速度割当てプロセスを示している。
【００４６】
占有されたユーザに関して、新たに割当てられたダウンリンクＤＣＨ速度が対応する、アップリンクＤＣＨ速度の値ドメインが、もとのアップリンクＤＣＨ速度を含んでいるならば、もとのアップリンクＤＣＨ速度は変更されない。新たに割当てられたダウンリンクＤＣＨ速度が対応するアップリンクＤＣＨ速度の値ドメインの最大値がもとのアップリンクＤＣＨ速度よりも小さいならば、更に解析がもとのアップリンクＤＣＨのトラフィック、フローまたはチャンネル利用比またはその他の無線測定値について行われなければならない。測定値がしきい値ＭＵＬ０よりも低いならば、新しいアップリンクＤＣＨ速度は、新たに割当てられたダウンリンクＤＣＨ速度が対応する、アップリンクＤＣＨ速度の値ドメインの最大値を取り、測定値がしきい値ＭＵＬ０よりも低いならば、占有されたユーザのダウンリンクＤＣＨリソースは占有されることを可能にされない。占有しているユーザが占有されたユーザのダウンリンクＤＣＨを占有しようとするとき、占有しているユーザのダウンリンクＤＣＨリソースの割当ては成功せず、占有しているユーザは再割当てを待機するためにそのキューの最後に置かれ、ソフトハンドオーバー及びさらにソフトなハンドオーバーから生じるハンドオーバーで新たに付加されたユーザが、占有されたユーザのダウンリンクＤＣＨを占有しようとするとき、占有されたユーザの利用可能な状態のダウンリンクＤＣＨは、ハンドオーバーで新たに付加されたユーザに再割当てされなければならない。
【００４７】
（ｆ）ＴＤＬｋ，ｍｉｎとＴＤＬｋ，ｍａｘの適応調節  
異なる速度を有するダウンリンクＤＣＨのＴＤＬｋ，ｍｉｎとＴＤＬｋ，ｍａｘは異なる値を有することを可能にされ、それらの典型的な値はコンピュータシミュレーションまたは実際の経験により決定されることができる。本発明によれば、ＴＤＬｋ，ｍｉｎとＴＤＬｋ，ｍａｘは適応方法を用いてダイナミックに調節されることができ、ダウンリンクＤＣＨリソース割当てキューの長さがあるしきい値を超えるとき、低速度のチャンネルのＴＤＬｋ，ｍｉｎを適応して増加し、および／または高速度のチャンネルのＴＤＬｋ，ｍａｘを減少し、それによってダウンリンクＤＣＨリソース割当てキューの長さは合理的な範囲内に維持される。
【００４８】
３．実時間ではないサービスのためのアップリンクＤＣＨにおける帯域幅割当て及び速度制御  
ダウンリンクとは異なり、アップリンクはチャンネルコードリソース限定問題をもたず、ＤＣＨ速度はアップリンク干渉ロードによってのみ制限される。したがってアップリンクＤＣＨ速度の割当ては各ＵＥで別々に行われる。アップリンク及びダウンリンクＤＣＨ速度は対で生じ、ダウンリンクＤＣＨ速度が決定要因であるので、アップリンクＤＣＨ速度の割当ては現在のダウンリンクＤＣＨ速度により限定され、即ちアップリンクＤＣＨ速度の割当ては現在のダウンリンクＤＣＨ速度を変更できない。占有しているユーザおよび占有されたユーザ、共通の新たに付加されたユーザおよびハンドオーバーで新たに付加されたユーザは静止状態ではないユーザであり、マクロダイバーシティユーザはアップリンク及びダウンリンクＤＣＨ速度制御を実行せず、それ故アップリンクＤＣＨ速度制御はメンテナンスユーザでのみ行われる。
【００４９】
メンテナンスユーザのダウンリンクＤＣＨはブロックされた状態であり、そのダウンリンクＤＣＨ速度は変化されないまま維持されるが、そのアップリンクＤＣＨ速度は個々に帯域幅割当て及び速度制御を行うことができ、その再度割当てられたアップリンクＤＣＨ速度は、ユーザの現在のダウンリンクＤＣＨ速度が対応する、アップリンクＤＣＨ速度の値ドメイン範囲内である必要がある。例えば、図４で示されているＤＣＨ速度構造によれば、現在のダウンリンクＤＣＨ速度が３８４ｋｂｐｓのユーザに関しては、そのアップリンクＤＣＨ速度は６４ｋｂｐｓ、１２８ｋｂｐｓ、３８４ｋｂｐｓの中からのみ選択されることができる。
【００５０】
ユーザのダウンリンクＤＣＨがブロックされた状態であるとき、アップリンクＤＣＨ占有タイマは、ユーザのアップリンクＤＣＨ速度が変更された後直ぐにスタートされる。タイマにより示される値がＴＤＬｋ，ｍｉｎよりも小さいならば、アップリンクＤＣＨは、アップリンクＤＣＨのトラフィック、フローまたはチャンネル利用比或いはその他の無線測定がどのように変化しても、速度再割当てを行わず、もしもアップリンクＤＣＨがＴＤＬｋ，ｍｉｎを超える時間中を占有され、アップリンクＤＣＨのトラフィック、フローまたはチャンネル利用比或いはその他の無線測定が上限ＭＵＬｌｏｗよりも下であるか、或いは上限ＭＵＬｌｏｗを超えるならば、アップリンクＤＣＨ速度はそれぞれ減少されるか増加される。アップリンクＤＣＨ速度を増加することが必要なとき、アップリンクアクセス制御弁別が行われるべきであり、現在の速度よりも高い速度を有する全てのアップリンクＤＣＨがアクセスを得ることを可能にされないならば、アップリンクＤＣＨ占有タイマはリセットされ、即ち、再割当ての機会の獲得はＴＤＬｋ，ｍｉｎ時間後にのみ、再度可能にされる。
【００５１】
本発明のＷＣＤＭＡ通信システムにおける無線チャンネルのリソース割当ておよび速度制御方法を添付図面を参照して詳細に前述した。当業者は本発明の原理にしたがって、本発明の特許請求の範囲を逸脱することなく、本発明の種々の変形及び改良を行うことが可能である。
【図面の簡単な説明】
【００５２】
【図１】従来技術のＵＴＲＡＮネットワークアーキテクチャのブロック図。
【図２】従来技術のＵＴＲＡＮネットワーク中の無線インターフェースプロトコルアーキテクチャを示す図。
【図３】従来技術のＵＴＲＡＮネットワーク中の送信チャンネルと物理チャンネルとの間のマッピング関係を示す図。
【図４】ＵＴＲＡＮネットワーク中でＤＣＨを使用して、対話／背景タイプのサービスを典型的に送信する無線アクセスベアラを示す図。
【図５】実時間ではないサービスにおけるダウンリンクＤＣＨのリソースを割当てるための、本発明の方法を実行する割当て装置を示す図。
【図６】本発明による実時間ではないサービスにおけるダウンリンクＤＣＨのリソースを再度割当てるための再割当てプロセスと、本発明による実時間ではないサービスにおける低速度のダウンリンクＤＣＨのリソース結合およびリソースプール更新プロセスとを示すフロー図。
【図７】本発明によるダウンリンクＤＣＨのリソース状態転送の説明図。
【図８】本発明によるダウンリンクＤＣＨのリソース割当て待ち行列の説明図。
【図９ａ】本発明によるソフトハンドオーバー、またはよりソフトなハンドオーバーから生じるハンドオーバーで新たに付加されたユーザに対して行われるＤＣＨチャンネル割当ておよび速度制御プロセスを示すフロー図。
【図９ｂ】本発明によるハードハンドオーバーから生じるハンドオーバーで新たに付加されたユーザに対するＤＣＨチャンネル割当ておよび速度制御プロセスを示すフロー図。
【図９ｃ】本発明による共通の新たに付加されたユーザに対するＤＣＨチャンネル割当ておよび速度制御プロセスを示すフロー図。
【図９ｄ】本発明による占有しているユーザにおけるＤＣＨチャンネル割当ておよび速度制御プロセスを示すフロー図。
【図１】
2007524260.tif 000003
【図２】
2007524260.tif 000004
【図３】
2007524260.tif 000005
【図４】
2007524260.tif 000006
【図５】
2007524260.tif 000007
2007524260.tif 000008
2007524260.tif 000009
【図７】
2007524260.tif 000010
【図８】
2007524260.tif 000011
2007524260.tif 000012
2007524260.tif 000013
2007524260.tif 000014
2007524260.tif 000015
【国際調査報告】
2007524260.tif 000016
2007524260.tif 000017
2007524260.tif 000018
2007524260.tif 000019